(57)【要約】【課題】ケース１内への糸通し作業を容易に行うことができ、また墨汁浸透部材４に墨汁を補充する場合等に、糸巻２等が脱落したり、糸３が所定の通り道から外れたりしない構造とした墨壷を提供する。【解決手段】ケース１に、糸巻２が回転可能に収納された糸巻収納室１０Ａと、糸巻２に巻回された糸３を外部へ導出する糸導出孔１０Ｃと、糸巻収納室１０Ａと糸導出孔１０Ｃとの間に位置し墨汁浸透部材４が収納された墨室１０Ｂが形成され、糸巻収納室１０Ａ、糸導出孔１０Ｃ及び墨室１０Ｂが、それぞれ別々のカバー１２，１３，１４によって開閉可能となっている。【選択図】図１１
2006212720.tif 000002
【特許請求の範囲】
【請求項１】
ケースに、糸巻が回転可能に収納された糸巻収納室と、前記糸巻に巻回された糸を外部へ導出する糸導出孔と、前記糸巻収納室と前記糸導出孔との間に位置し墨汁浸透部材が収納された墨室が形成され、前記糸巻収納室、糸導出孔及び墨室が、それぞれ別々のカバーによって開閉可能であることを特徴とする墨壷。
【発明の詳細な説明】
【技術分野】
【０００１】
本発明は、木工あるいは建築において、墨汁を付着させた糸を張設して線引きを行う墨壷に関する。
【背景技術】
【０００２】
木工や建築において墨線を打つ線引き作業で使用される墨壷は、従来から、基本的にはケース内に糸巻及び墨汁浸透部材が設けられ、糸巻に巻かれた糸が、墨汁を沁み込ませた墨汁浸透部材に接触しながら、ケースの一端に形成された糸繰り出し口から外部へ繰り出されるようになっており、糸の先端に、この糸を墨打ち起点に止着するためのカルコが繋着された構造を備える。
【０００３】
この種の墨壷による墨打ち作業においては、まず、カルコを相手材の墨打ち起点に止着してからケースを移動させると、これに伴い、糸巻から引き出される糸には、墨汁浸透部材との接触によって墨汁が付着するので、この糸に適当なテンションを与えた状態で、墨打ち対象面に向けて手指ではじくことによって、直線状の墨線を転写することができる。
【０００４】
また、下記の特許文献に開示された墨壷は、糸巻収納部及び墨汁浸透部材充填部を開閉可能となるように、ケース全体が２分割されている。このような構造とすれば、糸が切れた時に、この糸をケース内に通し直す作業を容易に行うことができる。
【０００５】
【特許文献１】実開昭５３−１５０９９８号公報
【特許文献２】実開昭６０−１２７８８０号公報
【発明の開示】
【発明が解決しようとする課題】
【０００６】
ところが、上記従来構造の墨壷によれば、例えば墨汁浸透部材に墨汁を補充したり、建材に罫書き等を行うための墨差しの筆先部を、墨汁浸透部材に押し付けて、この筆先部に墨汁を付着させるような場合にも、ケース全体を開くことになるので、異物の侵入による糸の巻き取り障害が起こりやすくなったり、糸巻や墨汁浸透部材等、内部収納物が脱落したり、糸が所定の通り道から外れたりしやすくなる問題が指摘される。
【０００７】
本発明は、以上のような点に鑑みてなされたものであって、その技術的課題は、糸通し作業を容易に行うことができ、また墨汁浸透部材に墨汁を補充する場合等に、内部収納物が脱落したり、糸が所定の通り道から外れたりしない構造とすることにある。
【課題を解決するための手段】
【０００８】
上述した技術的課題を有効に解決するための手段として、請求項１の発明に係る墨壷は、ケースに、糸巻が回転可能に収納された糸巻収納室と、前記糸巻に巻回された糸を外部へ導出する糸導出孔と、前記糸巻収納室と前記糸導出孔との間に位置し墨汁浸透部材が収納された墨室が形成され、前記糸巻収納室、糸導出孔及び墨室が、それぞれ別々のカバーによって開閉可能となっているものである。
【０００９】
このため、例えば糸が切れた時などに、糸巻に巻かれた糸を糸導出孔へ通し直す場合には、糸巻収納室、糸導出端部及び墨室のカバーを開いて糸通し作業を行うことができる。また、例えば墨汁浸透部材に墨汁を補充したり、墨差しの筆先を墨汁浸透部材に押し付けて、前記筆先に墨汁を付着させるような場合には、墨室のカバーのみを開けば良い。
【発明の効果】
【００１０】
請求項１の発明に係る墨壷によれば、糸通しの際には、糸巻収納室、糸導出端部及び墨室にかけてケース全体を開くことによって、この糸通し作業を容易に行うことができる。また、墨汁浸透部材に墨汁を補充したり、墨汁浸透部材の墨汁を付着させる墨差しを用いる場合には、墨室のカバーのみを開けば良いため、糸巻などの内部収納物が脱落したり、糸が所定の通り道から外れるのを防止することができる。
【発明を実施するための最良の形態】
【００１１】
以下、本発明に係る墨壷の好ましい実施の形態について、図面を参照しながら説明する。図１は本発明に係る墨壷の好ましい実施の形態を示す平面図、図２は図１におけるII方向の側面図、図３は図１におけるIII−III’断面図、図４は図２におけるIV−IV’断面図、図５は図２におけるＶ−Ｖ’断面図、図６は図２におけるVI−VI’断面図、図７は図１の墨壷における墨室カバーを開いた状態を示す平面図、図８は図７におけるVIII−VIII’断面図、図９は図１の墨壷における墨室カバー及び糸導出端部カバーを開いた状態を示す平面図、図１０は図９におけるＸ−Ｘ’断面図、図１１は図１の墨壷における糸巻カバー、墨室カバー及び糸導出端部カバーを開いた状態を示す平面図、図１２は図１１におけるXII−XII’断面図、図１３は使用状態の説明図である。
【００１２】
まず図１、図２及び図３において、参照符号１は、ＡＢＳ等の合成樹脂材で成形されたケースである。このケース１は、円形の皿状の糸巻収納部１１Ａと、その前方（図２及び図３における右側）の墨室形成部１１Ｂと、更にその前方の糸導出端部１１Ｃが形成されたケース本体１１を有する。そして、糸巻収納部１１Ａの上部開口には、糸巻カバー１２が着脱可能に設けられ、墨室形成部１１Ｂの上部開口には、墨室カバー１３がヒンジ１３１を介して揺動可能に設けられ、糸導出端部１１Ｃの上部開口には、糸導出端部カバー１４が、墨室カバー１３のヒンジ１３１と同じ側に設けられたヒンジ１４１を介して揺動可能に設けられている。
【００１３】
糸巻カバー１２は、糸巻２をケース本体１１における糸巻収納部１１Ａ内に回転自在に保持するものであって、後端に形成された掛合部１２１と、図４及び図１２に示されるように、前記掛合部１２１と反対側の半筒状端部１２ａにそれぞれヒンジ１２２ａを介して左右一対設けられた掛合爪１２２とを有する。そして、この糸巻カバー１２は、図３に示されるように、掛合部１２１を、糸巻収納部１１Ａの後端に突設された掛合部１１ａに掛合すると共に、図４に示されるように、一対の掛合爪１２２を、糸巻収納部１１Ａと墨室形成部１１Ｂの間の外側面に形成された一対の掛合凹部１１ｂに、それぞれ掛合させることによって、糸巻収納部１１Ａの上側に固定され、この糸巻収納部１１Ａとの間に糸巻収納室１０Ａを画成する。
【００１４】
図１、図２及び図３に示されるように、糸巻収納部１１Ａと糸巻カバー１２との衝合面間には、ゴム材からなるパッキン１１１が介在され、糸巻収納部１１Ａにおける墨室形成部１１Ｂ側の端部近傍には、金属製の第一ガイドピン１１２が設けられている。パッキン１１１は、図１１に示されるように、糸巻収納部１１Ａの外周の上面に周設されており、また、第一ガイドピン１１２は、図４及び図１２に示されるように、上側へ開いたＵ字形をなし、糸巻２から導出された糸３を通すものである。
【００１５】
図３に示されるように、第一ガイドピン１１２の墨室形成部１１Ｂ側には、金属製の第二ガイドピン１１３が配置されている。この第二ガイドピン１１３は、図３、図４及び図１２に示されるように、両端を、糸巻カバー１２における半筒状端部１２ａの内部に突設された一対のアームに保持されており、Ｕ字形の第一ガイドピン１１２を通る糸３が上側へ外れないように押えるものである。
【００１６】
糸巻２は、外周に糸３を巻回する糸巻本体２１と、この糸巻本体２１の内周に収納されて一端が糸巻本体２１に固定されると共に他端が後述のばね芯５１に固定されて糸巻本体２１を糸３の巻き取り回転方向に付勢する渦巻きばね２２と、糸巻本体２１の軸方向一側に形成され糸巻カバー１２の内周の円形窓１２ｂから外部へ露出した巻き取りハンドル２３とからなり、巻き取りハンドル２３の外側面には、手指で回転操作するための複数の指掛け凹部２３ａが形成されている。これらの部材はＡＢＳ等の合成樹脂材で成形されており、図１１に示されるように、糸巻２は、糸巻カバー１２をケース本体１１の糸巻収納部１１Ａから取り外すことによって、糸巻収納室１０Ａ内から取り出すことができる。
【００１７】
図３及び図１１に示されるように、糸巻２における糸巻本体２１の外側面の外周部には、多数の被係止突起２４ａが等位相間隔で突設されている。一方、糸巻カバー１２の半筒状端部１２ａには、糸巻２の回転と共に円周方向へ移動する前記被係止突起２４ａの移動経路へ向けて進退可能なロック部材１２３が設けられており、このロック部材１２３には、その進退動作を手指で操作するための操作部１２４が連結されている。すなわち、手指により操作部１２４を操作して、被係止突起２４ａの移動経路上にロック部材１２３を進出させることによって、多数の被係止突起２４ａのいずれかと干渉するので、糸巻２の回転をロックすることができる。
【００１８】
図２、図５、図７及び図８等に示されるように、墨室カバー１３の揺動端部（ヒンジ１３１と反対側の端部）には、掛合爪１３２が形成されている。この掛合爪１３２は、ケース本体１１における墨室形成部１１Ｂの外側面に形成された掛合凹部１１ｃにスナップ的に掛合されることによって、図５に示されるように、墨室カバー１３を閉塞状態に固定するものである。
【００１９】
図３、図５及び図７等に示されるように、墨室カバー１３の外周下縁には、ゴム状弾性材料からなるパッキン１３３が周設され、ケース本体１１における墨室形成部１１Ｂの上面に密接可能となっている。そして、墨室形成部１１Ｂと墨室カバー１３によって画成される墨室１０Ｂ内には、スポンジ、脱脂綿あるいはフェルト等からなる墨汁浸透部材４が着脱可能に充填されている。
【００２０】
なお、この墨汁浸透部材４は、ケース本体１１の墨室形成部１１Ｂ及び墨室カバー１３の内側の双方に充填され、図３及び図５に示されるように墨室カバー１３を閉じた状態において、双方の墨汁浸透部材４が互いに衝合され、十分な量の墨汁を保持できるようになっている。
【００２１】
ケース本体１１の墨室形成部１１Ｂにおける糸巻収納部１１Ａ側の隔壁１１ｄの上面、及び糸導出端部１１Ｃ側の隔壁１１ｅの上面には、図７等に示されるように、糸道スリット１１ｆ，１１ｇが形成されており、この糸道スリット１１ｆ，１１ｇには、ゴム状弾性材料からなるパッキン１１４，１１５が設けられている。また、墨室１０Ｂ内の墨汁浸透部材４には、糸道スリット１１ｆ，１１ｇの間を直線状に延びる糸道スリット４ａが形成されている。
【００２２】
墨室カバー１３の中央部には円形孔が開設されていて、この円形孔には、ゴム材からなるキャップ１３４が密嵌されており、このキャップ１３４の内面には合成樹脂材からなる押圧部材１３５が取り付けられている。また、この押圧部材１３５の先端には、糸押えピン１３６が取り付けられている。そして、墨室カバー１３を閉じた状態では、押圧部材１３５は、墨室１０Ｂにおける糸３の通り道の真上に位置しており、キャップ１３４を手指で押して凹ませることによって、押圧部材１３５及び糸押えピン１３６が押し下げられ、墨汁浸透部材４の糸道スリット４ａを通る糸３を、墨汁浸透部材４に強制的に押し付けるものである。手指による押し付けを解除すれば、押圧部材１３５及び糸押えピン１３６は、キャップ１３４の復元力によって復帰動作される。また、墨室カバー１３における円形孔の周囲は凹部１３ａとなっており、キャップ１３４は、この凹部１３ａ内にある。
【００２３】
ケース本体１１における糸導出端部１１Ｃと糸導出端部カバー１４は、漏斗状の糸導出孔１０Ｃを分担形成するものである。すなわち、糸導出端部カバー１４の揺動端部（ヒンジ１４１と反対側の端部）には、ヒンジ１４２ａを介して掛合爪１４２が取り付けられており、この掛合爪１４２は、図６に示されるように、ケース本体１１における糸導出端部１１Ｃの外側面に形成された掛合凹部１１ｈに掛合されることによって、糸導出端部カバー１４を糸導出端部１１Ｃの上面に衝合された状態に固定するものである。
【００２４】
ケース本体１１の糸導出端部１１Ｃにおける墨室１０Ｂ側の端部の上面には、糸道部材１１６が取り付けられており、糸導出端部カバー１４には、図３に示される固定状態において前記糸道部材１１６の外側に位置するもうひとつの糸道部材１４３が取り付けられている。
【００２５】
ケース本体１１の糸導出端部１１Ｃにおける外端部の内周には、金属製のガイドリング１１７が取り付けられている。詳しくは、ガイドリング１１７は、その半周が、前記糸導出端部１１Ｃの外端部に一体的に取り付けられ、他の半周が、糸導出端部カバー１４の外端部の内周溝１４ａ（図９又は図１１参照）に嵌合されるようになっている。また、ケース本体１１の糸導出端部１１Ｃには、糸導出孔１０Ｃから引き出した糸３を相手材に押し付けるための金属製の糸押え１５が、図３に示されるビス１６によって取り付けられている。
【００２６】
図３における参照符号５は、渦巻きばね２２の付勢力を調整するためのばねチャージ部である。このばねチャージ部５は、糸巻２の内周に同心的かつ相対回転可能な状態に組み込まれたばね芯５１と、ケース本体１１における糸巻収納部１１Ａの底壁の外部にばね芯５１と同心的に配置された円盤状のチャージハンドル５２と、前記底壁に開設された軸孔に挿通されたチャージハンドル５２の中心軸にビス５４で固定されたクラッチ部材５３と、チャージハンドル５２に設けられたレバー５５とを備える。
【００２７】
糸巻２に収納された渦巻きばね２２は、外周側の一端が糸巻２における糸巻本体２１に固定されると共に、内周側の他端が、ばね芯５１に固定されている。したがって、渦巻きばね２２は、糸巻２とばね芯５１の相対回転によって蓄勢又は弛緩するものである。
【００２８】
ばね芯５１の一端には円盤状のクラッチ盤５１ａが形成されており、クラッチ部材５３は、ケース本体１１における糸巻収納部１１Ａの底壁との間に圧縮状態に配置されたコイルスプリング５６によってクラッチ盤５１ａに押し付けられ、このクラッチ盤５１ａに対して、渦巻きばね２２の蓄勢方向にのみ掛合するワンウェイクラッチを構成している。
【００２９】
ばねチャージ部５のレバー５５は、チャージハンドル５２とケース本体１１における糸巻収納部１１Ａの底壁との間にあって、長手方向中間部分が、不図示の支点を中心としてシーソー運動可能な状態に支持されている。レバー５５の一端には、チャージハンドル５２の円周方向一箇所に開設された指掛け孔５２ａ内に露出した操作端部５５ａが形成されており、他端に、前記底壁側へ向けて突出した被係止部５５ｂが形成されており、この被係止部５５ｂとチャージハンドル５２との間にはコイルスプリング５７が適宜圧縮状態で配置されている。
【００３０】
一方、ケース本体１１における糸巻収納部１１Ａの底壁には、チャージハンドル５２をその中心軸５２ａの周りに回転させた時に、これと一体的に回転するレバー５５の被係止部５５ｂの軌跡と対応する円弧状に延び、糸巻２の巻き取り方向と反対の方向、言い換えれば渦巻きばね２２を弛緩させる方向の端部へ向かって漸次深くなり、その最深部が前記被係止部５５ｂと掛合可能な段差状を呈するスパイラル溝１１ｉが形成されている。
【００３１】
図１１に示されるように、糸巻収納部１１Ａにおける墨室形成部１１Ｂ側の端部近傍に設けられた第一ガイドピン１１２及び第二ガイドピン１１３と、墨室形成部１１Ｂにおける一方の隔壁１１ｄの上面に形成された糸道スリット１１ｆ（パッキン１１４）と、墨汁浸透部材４に形成された糸道スリット４ａと、墨室形成部１１Ｂの他方の隔壁１１ｅの上面に形成された糸道スリット１１ｇ（パッキン１１５）と、糸導出端部１１Ｃ及び糸導出端部カバー１４に設けられた糸道部材１１６，１４３は、互いに直線状に並んでおり、糸巻２の糸巻本体２１に巻回された糸３は、これら第一ガイドピン１１２、第二ガイドピン１１３、糸道スリット１１ｆ，４ａ，１１ｇ及び糸道部材１１６，１４３を通って、糸導出孔１０Ｃからケース１の外部へ導出される。
【００３２】
ケース１の外部へ導出された糸３の先端には、図１３に示されるようなカルコ６が繋着されている。カルコ６は、基本的に、合成樹脂製の中空の柄６１と、この柄６１に一体的に、又は着脱自在に取り付けられた金属製の止着針６２とを備える。
【００３３】
上述の構成を備える墨壷による墨打ち（線引き）作業においては、図１３に示されるように、まずカルコ６を、その止着針６２を相手材（木材）Ｗの表面における墨打ちの一方の起点に刺して止着する。
【００３４】
次に、ケース１を墨打ちの他方の起点へ向けて移動させると、糸巻２の回転を伴いながら、その糸巻本体２１に巻かれた糸３が、ケース１の移動距離分だけ引き出されて行く。この糸３は、墨室１０Ｂに充填された墨汁浸透部材４の糸道スリット４ａを通って引き出される過程で、この墨汁浸透部材４に摺接することによって墨汁が付着する。
【００３５】
また、糸巻２の糸巻本体２１は、糸３の引き出しに伴って回転されるのに対し、同方向へのばね芯５１の回転は、ワンウェイクラッチを構成するクラッチ部材５３とクラッチ盤５１ａの掛合によって阻止されるので、渦巻きばね２２が糸巻本体２１の回転に伴ってばね芯５１に巻き込まれ、蓄勢される。
【００３６】
ケース１を墨打ちの他方の起点まで移動させたら、このケース１から突出した糸押え１５の先端で糸３を相手材Ｗの表面に押止することによって、糸３をカルコ６との間に張設する。このとき、操作部１２４を手指でスライドさせることによって、糸巻本体２１の回転による被係止突起２４ａの移動経路上にロック部材１２３を進出させれば、このロック部材１２３が被係止突起２４ａと干渉して糸巻２の糸繰り出し方向の回転を制止するので、糸３に十分な張力を与えることができる。そして、この糸３を、相手材Ｗの表面に向けて指ではじいて打ち付ければ、糸３に付着している墨汁によって、直線状の墨線を転写することができる。
【００３７】
墨打ち作業終了後は、カルコ６を相手材Ｗから引き抜けば、糸３の引き出し過程で蓄勢された渦巻きばね２２の弛緩動作によって、糸巻２が巻き取り方向に回転するため、糸３は、カルコ６がケース１の糸導出端部１１Ｃ及び糸導出端部カバー１４による糸導出孔１０Ｃに半収納状態に係止されるまで、糸巻本体２１に自動的に巻き取られる。
【００３８】
カルコ６が糸導出孔１０Ｃに半収納状態に係止されるまで、糸３を糸巻本体２１に完全に巻き取った状態、あるいは図１３に示されるように糸３を張設した状態では、ばねチャージ部５によって、渦巻きばね２２の付勢力を任意に調整することができる。この調整においては、図３に示されるレバー５５の操作端部５５ａを、チャージハンドル５２の指掛け孔５２ａ内に手指を挿入して押圧し、このレバー５５をコイルスプリング５７の圧縮方向へ梃子運動させることにより、その被係止部５５ｂとスパイラル溝１１ｉの最深部との掛合を解除した状態で、前記手指によりチャージハンドル５２を渦巻きばね２２の蓄勢又は弛緩方向へ適宜回転させれば良い。
【００３９】
また、チャージハンドル５２の指掛け孔５２ａから手指を離せば、チャージハンドル５２が渦巻きばね２２の弛緩方向へ回転する過程で、レバー５５の被係止部５５ｂがコイルスプリング５７の付勢力によって再びスパイラル溝１１ｉの最深部と掛合され、弛緩方向へのチャージハンドル５２の回転が阻止される。
【００４０】
墨室１０Ｂ内の墨汁浸透部材４に浸透保持された墨汁の量が、墨打ち作業の繰り返し等によってある程度少なくなった場合は、糸３を繰り出す際に、手指でキャップ１３４を押圧すれば、このキャップ１３４の内側の押圧部材１３５が下方変位して、糸押えピン１３６が、墨室１０Ｂ内を通る糸３を、墨汁浸透部材４に強制的に押し付けるため、糸３に墨汁を十分に付着させることができる。
【００４１】
また、キャップ１３４を押圧しても糸３への墨汁の十分な付着量が得られなくなった場合は、墨室カバー１３を開き、墨室１０Ｂ内の墨汁浸透部材４に墨汁を補充する。この墨室カバー１３は、掛合爪１３２に手指を掛けて、ケース本体１１の墨室形成部１１Ｂの外側面に形成された掛合凹部１１ｃに対する掛合を強制的に解除することによって、図７及び図８に示されるように、ヒンジ１３１を中心として揺動させて開くことができる。
【００４２】
また、相手材Ｗの表面に罫書きするような場合、不図示の墨差しを用いることがある。墨差しは、多数の薄板を束ねた構造の筆先に、墨汁を付着させながら用いる筆記具の一種であり、前記罫書き等に用いる場合は、上述と同様にして墨室カバー１３を開き、前記墨差しの筆先を墨室１０Ｂ内の墨汁浸透部材４に押し付けて墨汁を付着させることができる。
【００４３】
そして、上述のように、墨汁浸透部材４への墨汁の補充や、墨差しに墨汁浸透部材４の墨汁を付着させる場合には、先に説明した従来構造のようにケース全体を単一のカバーで開閉するものとは異なり、墨室カバー１３のみを開くことができるので、糸巻カバー１２及び糸導出端部カバー１４によって、第一ガイドピン１１２から糸導出孔１０Ｃに到る糸道が保持される。このため糸３が糸道から外れてしまったり、糸巻収納室１０Ａへの異物の侵入による糸３の巻き取り障害が発生したり、糸巻収納室１０Ａから糸巻２が脱落したりするのを防止することができる。
【００４４】
また、使用中に糸３が切れてしまったような場合は、渦巻きばね２２の付勢力によって糸巻２に糸３がすべて巻き取られるので、再使用のためには、巻き取られた糸３を糸道を通して糸導出孔１０Ｃから引き出し、図１３に示されるカルコ６に結び付ける必要がある。そして図示の形態の墨壷においては、糸巻カバー１２、墨室カバー１３及び糸導出端部カバー１４を、それぞれの掛合爪１２２，１３２，１４２の掛合解除によって開けば、図１１に示されるように、ケース１全体を開放させることができ、すなわち糸巻収納室１０Ａ及び墨室１０Ｂが開放されると共に、第一ガイドピン１１２から糸導出孔１０Ｃに到る糸道が開放されるので、糸巻２から糸３を、前記糸道を通して糸導出孔１０Ｃから引き出し、カルコ６に結び付ける作業を容易に行うことができる。
【００４５】
また、図３及び図７に示されるように、この形態においては、糸巻カバー１２の半筒状端部１２ａにおける墨室カバー１３側の端面には、被掛合突条１２ｃが形成される一方、墨室カバー１３における糸巻カバー１２側の端面には、前記被掛合突条１２ｃの外周に掛合される掛合段部１３ｂが形成され、同様に、糸導出端部カバー１４における墨室カバー１３側の端面には、被掛合突条１４ｂが形成される一方、墨室カバー１３における糸導出端部カバー１４側の端面には、前記被掛合突条１４ｂの外周に掛合される掛合段部１３ｃが形成されている。
【００４６】
このようにすれば、ケース１を閉じた状態では、糸巻カバー１２及び糸導出端部カバー１４は、被掛合突条１２ｃ，１４ｂが墨室カバー１３の掛合段部１３ｂ，１３ｃと掛合しているので、掛合爪１２２，１４２の掛合を解除しても、墨室カバー１３を掛合爪１３２の掛合の解除によって開かなければ、開くことができない。このため、糸巻カバー１２及び糸導出端部カバー１４が不用意に開くようなことはなく、糸巻カバー１２と墨室カバー１３との間、あるいは墨室カバー１３と糸導出端部カバー１４との間から異物等が侵入するのを防止することもできる。
【００４７】
なお、上述のような被掛合突条１２ｃ，１４ｂと掛合段部１３ｂ，１３ｃとの掛合構造を設けず、糸巻カバー１２、墨室カバー１３及び糸導出端部カバー１４を、互いに独立して開閉することができるようにしても良い。この場合は、糸巻２への巻き取り過程で糸３が外れた場合などに、糸巻カバー１２のみを開いて糸巻２に糸３を巻き直したり、あるいは糸導出孔１０Ｃや糸道部材１１６，１４３の掃除をするような場合に、糸導出端部カバー１４のみを開くことができる。
【図面の簡単な説明】
【００４８】
【図１】本発明に係る墨壷の好ましい実施の形態を示す平面図である。
【図２】図１におけるII方向の側面図である。
【図３】図１におけるIII−III’断面図である。
【図４】図２におけるIV−IV’断面図である。
【図５】図２におけるＶ−Ｖ’断面図である。
【図６】図２におけるVI−VI’断面図である。
【図７】図１の墨壷における墨室カバーを開いた状態を示す平面図である。
【図８】図７におけるVIII−VIII’断面図である。
【図９】図１の墨壷における墨室カバー及び糸導出端部カバーを開いた状態を示す平面図である。
【図１０】図９におけるＸ−Ｘ’断面図である。
【図１１】図１の墨壷における糸巻カバー、墨室カバー及び糸導出端部カバーを開いた状態を示す平面図である。
【図１２】図１１におけるXII−XII’断面図である。
【図１３】使用状態の説明図である。
【符号の説明】
【００４９】
１  ケース
１０Ａ  糸巻収納室
１０Ｂ  墨室
１０Ｃ  糸導出孔
１１  ケース本体
１１Ａ  糸巻収納部
１１Ｂ  墨室形成部
１１Ｃ  糸導出端部
１１ａ  掛合部
１１ｂ，１１ｃ，１１ｈ  掛合凹部
１２  糸巻カバー
１２２，１３２，１４２  掛合爪
１２２ａ，１３１，１４１，１４２ａ  ヒンジ
１３  墨室カバー
１４  糸導出端部カバー
２  糸巻
２２  渦巻きばね
３  糸
４  墨汁浸透部材
５  ばねチャージ部
６  カルコ
【図１】
2006212720.tif 000003
【図２】
2006212720.tif 000004
【図３】
2006212720.tif 000005
【図４】
2006212720.tif 000006
【図５】
2006212720.tif 000007
【図６】
2006212720.tif 000008
【図７】
2006212720.tif 000009
【図８】
2006212720.tif 000010
【図９】
2006212720.tif 000011
【図１０】
2006212720.tif 000012
【図１１】
2006212720.tif 000013
【図１２】
2006212720.tif 000014
【図１３】
2006212720.tif 000015
【手続補正書】
【提出日】平成17年3月28日(2005.3.28)
【手続補正１】
【補正対象書類名】図面
【補正対象項目名】全図
【補正方法】変更
【補正の内容】
【図１】
2006212720.tif 000016
【図２】
2006212720.tif 000017
【図３】
2006212720.tif 000018
【図４】
2006212720.tif 000019
【図５】
2006212720.tif 000020
【図６】
2006212720.tif 000021
【図７】
2006212720.tif 000022
【図８】
2006212720.tif 000023
【図９】
2006212720.tif 000024
【図１０】
2006212720.tif 000025
【図１１】
2006212720.tif 000026
【図１２】
2006212720.tif 000027
【図１３】
2006212720.tif 000028